(57)【要約】【課題】所定のタイミングで、新たに記憶した画像を待受画面として表示させる電子機器を提供する。【解決手段】電子機器は、複数の画像を記憶するメモリ４４と、メモリ４４に記憶される画像を待受画面として表示する表示部２１と、メモリ４４に記憶される複数の画像のうちいずれか１つの第１画像を第１待受画面として表示部２１に表示させると共に、所定の切替タイミングで第１待受画面の次に、メモリ４４に記憶される複数の画像のうち第１画像とは異なる第２画像を第２待受画面として表示部２１に表示させる制御部４５と、を備える。制御部４５は、第１待受画面が表示部２１に表示されてから第２待受画面が表示部２１に表示されるまでの間に、メモリ４４に新たな画像として第３画像が記憶された場合には、所定の切替タイミングで、第１待受画面の次に、第３画像を第３待受画面として切り替えて表示部２１に表示させる。【選択図】図２
2012155136.tif 000002
【特許請求の範囲】
【請求項１】
複数の画像を記憶する記憶部と、
前記記憶部に記憶される画像を待受画面として表示する表示部と、
前記記憶部に記憶される複数の画像のうちいずれか１つの第１画像を第１待受画面として前記表示部に表示させると共に、所定の切替タイミングで前記第１待受画面の次に、前記記憶部に記憶される複数の画像のうち前記第１画像とは異なる第２画像を第２待受画面として前記表示部に表示させる制御部と、を備え、
前記制御部は、前記第１待受画面が前記表示部に表示されてから前記第２待受画面が前記表示部に表示されるまでの間に、前記記憶部に新たな画像として第３画像が記憶された場合には、前記所定の切替タイミングで、前記第１待受画面の次に、前記第３画像を第３待受画面として前記表示部に表示させる
電子機器。
【請求項２】
前記制御部は、前記第３画像が複数ある場合には、所定の切替タイミング毎に、前記記憶部に記憶された順番が新しい第３画像から順に前記第３待受画面として前記表示部に表示させる
請求項１に記載の電子機器。
【請求項３】
前記制御部は、複数の前記第３画像のうちの１つの画像である第４画像を前記待受画面に対応する第４待受画面として前記表示部に表示してから、当該第４画像が記憶される直前に前記記憶部に記憶された画像である第５画像を前記待受画面に対応する第５待受画面として前記表示部に表示させるまでの間に、前記記憶部に新たな画像として第６画像が記憶された場合には、所定の切替タイミングで、前記第４待受画面の次に、前記第６画像を前記待受画面に対応する第６待受画面として切り替えて前記表示部に表示させる
請求項２に記載の電子機器。
【請求項４】
前記記憶部は、前記記憶部に記憶された新たな画像のアドレスを所定の数だけ記憶するアドレス記憶領域を備え、
前記アドレス記憶領域は、前記所定の数を超えてアドレスが記憶される場合に、前記記憶部に既に記憶された新たな画像のうち前記記憶部に記憶された順番が古い画像から順に、当該順番が古い画像に対応するアドレスを削除し、
前記制御部は、前記アドレス記憶領域に新たに記憶されるアドレスに対応する画像を前記第２画像よりも優先させて待受画面とする
請求項１から３のいずれか１項に記載の電子機器。
【請求項５】
カメラをさらに備え、
前記記憶部は、前記カメラによって撮像された画像を第３画像として記憶する
請求項１から４のいずれか１項に記載の電子機器。
【請求項６】
画像データを受信可能な受信部を備え、
前記制御部は、前記所定のタイミングまでの間に前記受信部が前記画像データを受信したとき、当該画像データに基づく画像を前記第３画像として前記記憶部に記憶させる
請求項１から５のいずれか１項に記載の電子機器。
【請求項７】
前記画像データに基づく画像を前記表示部に表示させる閲覧操作が行われる操作部をさらに備え、
前記制御部は、前記所定のタイミングまでの間に前記受信部が前記画像データを受信した場合であっても、前記画像データを前記受信部が受信してから前記所定のタイミングまでの間に前記閲覧操作が前記操作部に対して行われたときには、前記画像データに基づく画像を前記第３待受画面として表示することを抑制する
請求項６に記載の電子機器。
【請求項８】
前記画像データに基づく画像を前記表示部に表示させる閲覧操作が行われる操作部をさらに備え、
前記制御部は、前記所定のタイミングまでの間に前記受信部が前記画像データを受信した場合であっても、前記画像データを前記受信部が受信してから所定期間までの間に前記閲覧操作が前記操作部に対して行われたときには、前記画像データに基づく画像を前記第３待受画面として表示することを抑制する
請求項６に記載の電子機器。
【発明の詳細な説明】
【技術分野】
【０００１】
本発明は、待受画面を表示する表示部を備える電子機器に関する。
【背景技術】
【０００２】
電子機器には、画像を待受画面として表示部に表示するものがある。ここで、電子機器が例えば携帯電話機の場合には、待受画面は、その携帯電話機が通信を待ち受けているときや、アプリケーションの起動を待ち受けているときに表示部に表示される。待受画面は、壁紙又はデスクトップ画面とも言われる。
【０００３】
このような待受画面は、携帯電話機の表示部に表示される場合に、所定のタイミングで変更されることがある。すなわち、携帯電話機は、複数の画像を記憶しておき、所定のタイミング毎に、複数の画像のなかからいずれか１つの画像を選択して、選択された画像を待受画面として表示部に表示する（特許文献１参照）。
【先行技術文献】
【特許文献】
【０００４】
【特許文献１】特開２００３−３２４５０５号公報
【発明の概要】
【発明が解決しようとする課題】
【０００５】
ところで、電子機器に新たな画像が記憶された場合には、所定のタイミングで（例えば、撮像部により被写体を撮像した後直ぐに）、その新たな画像を待受画面として表示部に優先的に表示させたいという要望がある。
しかしながら、特許文献１に記載された発明は、待受画面を表示部に表示するために複数の画像の中からいずれか１つの画像を選択する場合でも、優先的に特定の画像を選択するようにはなっていない。このため、特許文献１に記載された発明は、携帯電話機に新たな画像が記憶された場合でも、新たな画像を待受画面として直ぐに表示部に表示させることはできない。
【０００６】
本発明は、所定のタイミングで、新たに記憶した画像を待受画面として表示させる電子機器を提供することを目的とする。
【課題を解決するための手段】
【０００７】
本発明の電子機器は、複数の画像を記憶する記憶部と、前記記憶部に記憶される画像を待受画面として表示する表示部と、前記記憶部に記憶される複数の画像のうちいずれか１つの第１画像を第１待受画面として前記表示部に表示させると共に、所定の切替タイミングで前記第１待受画面の次に、前記記憶部に記憶される複数の画像のうち前記第１画像とは異なる第２画像を第２待受画面として前記表示部に表示させる制御部と、を備え、前記制御部は、前記第１待受画面が前記表示部に表示されてから前記第２待受画面が前記表示部に表示されるまでの間に、前記記憶部に新たな画像として第３画像が記憶された場合には、前記所定の切替タイミングで、前記第１待受画面の次に、前記第３画像を第３待受画面として前記表示部に表示させることを特徴とする。
【０００８】
また、前記制御部は、前記第３画像が複数ある場合には、所定の切替タイミング毎に、前記記憶部に記憶された順番が新しい第３画像から順に前記第３待受画面として前記表示部に表示させることが好ましい。
【０００９】
また、前記制御部は、複数の前記第３画像のうちの１つの画像である第４画像を前記待受画面に対応する第４待受画面として前記表示部に表示してから、当該第４画像が記憶される直前に前記記憶部に記憶された画像である第５画像を前記待受画面に対応する第５待受画面として前記表示部に表示させるまでの間に、前記記憶部に新たな画像として第６画像が記憶された場合には、所定の切替タイミングで、前記第４待受画面の次に、前記第６画像を前記待受画面に対応する第６待受画面として切り替えて前記表示部に表示させることが好ましい。
【００１０】
また、前記記憶部は、前記記憶部に記憶された新たな画像のアドレスを所定の数だけ記憶するアドレス記憶領域を備え、前記アドレス記憶領域は、前記所定の数を超えてアドレスが記憶される場合に、前記記憶部に既に記憶された新たな画像のうち前記記憶部に記憶された順番が古い画像から順に、当該順番が古い画像に対応するアドレスを削除し、前記制御部は、前記アドレス記憶領域に新たに記憶されるアドレスに対応する画像を前記第２画像よりも優先させて待受画面とすることが好ましい。
【００１１】
また、電子機器は、カメラをさらに備え、前記記憶部は、前記カメラによって撮像された画像を第３画像として記憶することが好ましい。
【００１２】
また、電子機器は、画像データを受信可能な受信部を備え、前記制御部は、前記所定のタイミングまでの間に前記受信部が前記画像データを受信したとき、当該画像データに基づく画像を前記第３画像として前記記憶部に記憶させることが好ましい。
【００１３】
また、電子機器は、前記画像データに基づく画像を前記表示部に表示させる閲覧操作が行われる操作部をさらに備え、前記制御部は、前記所定のタイミングまでの間に前記受信部が前記画像データを受信した場合であっても、前記画像データを前記受信部が受信してから前記所定のタイミングまでの間に前記閲覧操作が前記操作部に対して行われたときには、前記画像データに基づく画像を前記第３待受画面として表示することを抑制することが好ましい。
【００１４】
また、電子機器は、前記画像データに基づく画像を前記表示部に表示させる閲覧操作が行われる操作部をさらに備え、前記制御部は、前記所定のタイミングまでの間に前記受信部が前記画像データを受信した場合であっても、前記画像データを前記受信部が受信してから所定期間までの間に前記閲覧操作が前記操作部に対して行われたときには、前記画像データに基づく画像を前記第３待受画面として表示することを抑制することが好ましい。
【発明の効果】
【００１５】
本発明によれば、所定のタイミングで、新たに記憶した画像を待受画面として表示させることができる。
【図面の簡単な説明】
【００１６】
【図１】本発明の電子機器の一実施形態に係る携帯電話機の外観斜視図である。
【図２】携帯電話機の機能を示す機能ブロック図である。
【図３】携帯電話機が上記機能を発揮するための構成を示す機能ブロック図である。
【図４】表示部に表示される待受画面の順番を説明するための第１の図である。
【図５】新たな画像としての第３画像、及び、第３画像のメモリアドレスが記憶されるメモリアドレス記憶領域について説明するための図である。
【図６】表示部に表示される待受画面の順番を説明するための第２の図である。
【図７】新たな画像としての第６画像、及び、第６画像のメモリアドレスが記憶されるメモリアドレス記憶領域について説明するための図である。
【図８】表示部に表示される待受画面の順番を説明するための第３の図である。
【図９】新たな画像としての第７画像、及び、第７画像のメモリアドレスが記憶されるメモリアドレス記憶領域について説明するための図である。
【図１０】表示部に表示される待受画面の順番を説明するための第４の図である。
【発明を実施するための形態】
【００１７】
以下、本発明の一実施形態について説明する。図１は、本発明の電子機器の一実施形態に係る携帯電話機１の外観斜視図である。なお、図１は、いわゆる折り畳み型の携帯電話機の形態を示しているが、携帯電話機の形態としては特にこれに限られない。例えば、携帯電話機は、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ、フリップタイプ）でもよい。
【００１８】
携帯電話機１は、操作部側筐体部２と、表示部側筐体部３とを備える。操作部側筐体部２は、表面部１０に、操作部１１と、携帯電話機１の使用者が通話時に発した音声を入力するマイク１２とを備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、これらのキーは、表示部２１と一体に形成されたタッチパネルに配置（表示）するようにしてもよい。
【００１９】
また、表示部側筐体部３は、表面部２０に、表示部２１と、スピーカ２２とを備える。
表示部２１は、液晶ディスプレイパネル又は有機ＥＬ（エレクトロルミネッセンス）パネルを備える。表示部２１は、各種情報を表示する。また、表示部２１は、後述するメモリ４４に記憶されている複数の画像のうちいずれか１つの画像を待受画面として表示する。ここで、待受画面とは、携帯電話機が通信を待ち受けているときや、アプリケーションの起動を待ち受けているときに表示部に表示される画面のことを指す。待受画面は、壁紙又はデスクトップ画面とも言われる。
スピーカ２２は、通話の相手側の音声を出力する。
【００２０】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２１】
また、図２は、携帯電話機１の機能を示す機能ブロック図である。携帯電話機１は、図２に示すように、操作部１１と、マイク１２と、通信部４６と、画像処理部４２と、音声処理部４３と、メモリ４４（記憶部）と、制御部４５と、撮像部としてのカメラ３３と、表示部２１と、スピーカ２２と、ドライバＩＣ２３とを操作部側筐体部２又は表示部側筐体部３に備える。
【００２２】
通信部４６は、メインアンテナ４０と、ＲＦ回路部４１とを備える。
メインアンテナ４０は、所定の使用周波数帯（例えば、８００ＭＨｚ）で基地局等の外部装置と通信を行う。なお、本実施形態では、所定の使用周波数帯として、８００ＭＨｚとしたが、これ以外の周波数帯であってもよい。
【００２３】
ＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置に送信する。また、その一方で、ＲＦ回路部４１は、メインアンテナ４０によって受信している信号の強度を制御部４５に通知する。具体的には、ＲＦ回路部４１は、例えば、画像が添付されたメールを受信する。
【００２４】
画像処理部４２は、所定の画像処理を行い、処理後の画像データをドライバＩＣ２３又は制御部４５に出力する。ドライバＩＣ２３は、画像処理部４２から供給された画像データをフレームメモリに蓄え、所定のタイミングで表示部２１に出力する。
【００２５】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２６】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
カメラ３３は、被写体を撮像する。
【００２７】
メモリ４４は、例えば、ワーキングメモリを含み、制御部４５による演算処理に利用される。メモリ４４には、複数の画像が記憶される。例えば、メモリ４４は、カメラ３３によって撮像された被写体の画像を記憶する。また、メモリ４４は、通信部４６を介して入力された画像（メールに添付された画像やホームページからダウンロードされた画像）を記憶する。また、メモリ４４には、複数のアプリケーションや当該アプリケーションが必要とする各種のテーブル等が記憶されている。また、メモリ４４は、着脱可能な外部メモリを兼ねていてもよい。
【００２８】
制御部４５は、携帯電話機１の全体を制御しており、中央処理装置（ＣＰＵ）等を用いて構成される。
【００２９】
このように構成される携帯電話機１は、所定のタイミングで、新たに記憶した画像を待受画面として表示させる機能を有する。
以下に、携帯電話機１に係る上記機能を発揮するための構成と動作について詳述する。まず、本実施形態に係る携帯電話機１の上記機能を発揮するための構成について、図３を参照しながら説明する。図３は、携帯電話機１が上記機能を発揮するための構成を示す機能ブロック図である。図４は、表示部２１に表示される待受画面の順番を説明するための第１の図である。
【００３０】
携帯電話機１は、開閉センサ１００を備える。開閉センサ１００は、操作部側筐体部２と表示部側筐体部３とが開放状態にあるか、操作部側筐体部２と表示部側筐体部３とが折畳み状態にあるかを検知するためのセンサである。具体的な一例としては、開閉センサ１００は、表示部側筐体部３に設けられた磁石１０２と、操作部側筐体部２に設けられたホール素子１０１とを備える。磁石１０２とホール素子１０１とは、操作部側筐体部２と表示部側筐体部３とが折畳み状態にある場合に、対向する位置にそれぞれ配置される。ホール素子１０１と磁石１０２との距離は、操作部側筐体部２と表示部側筐体部３とが開放状態にある場合と、操作部側筐体部２と表示部側筐体部３とが折畳み状態にある場合とで変わる。つまり、ホール素子１０１は、磁石１０２までの距離が変わることに応じて磁力が変わるため、それぞれの場合で異なる値の電圧を電圧信号として制御部４５に出力する。
【００３１】
制御部４５は、メモリ４４に記憶される複数の画像のうちいずれか１つの第１画像を待受画面に対応する第１待受画面として表示部２１に表示させると共に、所定の切替タイミングで第１待受画面に代えて、メモリ４４に記憶される複数の画像のうち第１画像とは異なる第２画像を待受画面に対応する第２待受画面として表示部２１に表示させる。
【００３２】
また、制御部４５は、第１待受画面が表示部２１に表示されてから第２待受画面が表示部２１に表示されるまでの間に、メモリ４４に新たな画像として第３画像が記憶された場合には、所定の切替タイミングで、第１待受画面に代えて、第３画像を待受画面に対応する第３待受画面として切り替えて表示部２１に表示させる。
【００３３】
制御部４５は、表示部２１に表示される待受画面を上述したように変更するために、例えば、開閉検知部４５１と、待受画面切替判断部４５２と、表示制御部４５３とを備える。
開閉検知部４５１は、開閉センサ１００から入力された電圧信号が示す電圧値の強弱に基づいて、操作部側筐体部２と表示部側筐体部３とが開放状態にあるか、又は、操作部側筐体部２と表示部側筐体部３とが折畳み状態にあるかを検知する。
【００３４】
待受画面切替判断部４５２は、開閉検知部４５１によって操作部側筐体部２と表示部側筐体部３とが開放状態にあるか又は折畳み状態にあるかを検知した結果に基づいて、表示部２１に表示される待受画面を切り替えるか否かを判断する。すなわち、待受画面切替判断部４５２は、開閉検知部４５１によって操作部側筐体部２と表示部側筐体部３とが折畳み状態にあることを検知した場合に、表示部２１に表示される待受画面を切り替えると判断する。
【００３５】
表示制御部４５３は、表示部２１の表示画面を制御する。すなわち、表示制御部４５３は、操作部側筐体部２と表示部側筐体部３とが開放状態にある場合には、表示部２１に待受画面を表示させる。また、表示制御部４５３は、待受画面切替判断部４５２によって待受画面を切り替えると判断され、且つ、開閉検知部４５１によって操作部側筐体部２と表示部側筐体部３とが折畳み状態から開放状態になったことを検知した場合（所定のタイミング）には、待受画面を切り替えて表示部２１に表示させる。
【００３６】
例えば、第１画像と第２画像とがメモリ４４に記憶されると共に、操作部側筐体部２と表示部側筐体部３とが開放状態のときに第１画像が待受画面（第１待受画面）として表示部２１に表示される場合において、操作部側筐体部２と表示部側筐体部３とが折畳み状態となった場合には、待受画面切替判断部４５２は、第１待受画面を切り替えると判断する。その後、開閉検知部４５１によって操作部側筐体部２と表示部側筐体部３とが開放状態にあることを検知された場合には、表示制御部４５３は、待受画面切替判断部４５２の判断と開閉検知部４５１の検知結果に基づいて、第１待受画面に代えて、第２画像に基づく待受画面（第２待受画面）を表示部２１に表示させる。
【００３７】
なお、表示制御部４５３は、メモリ４４に複数の画像がある場合には、所定のタイミングが発生する毎に、任意の順番で画像を待受画面として表示部２１に表示させることが可能である。例えば、表示制御部４５３は、メモリ４４に画像（α、β、γ、δ、ε）が記憶されている場合、所定のタイミングが発生する毎に、図４に示すように、画像γに対応する待受画面γ、画像εに対応する待受画面ε、画像βに対応する待受画面β、画像δに対応する待受画面δ、及び、画像αに対応する待受画面αという順番で各待受画面を表示部２１に表示させることが可能である。なお、画像α〜εを待受画面とする再生順番リストは、メモリ４４に記憶されている。
【００３８】
さらに、表示制御部４５３は、新たな画像がメモリ４４に記憶された場合には、メモリ４４に既に記憶されている画像を待受画面とするよりも優先して、新たな画像を待受画面として表示部２１に表示させる。例えば、表示制御部４５３は、第１画像が第１待受画面として表示部２１に表示されているに状態において、メモリ４４に新たに画像（第３画像）が記憶された場合には、待受画面切替判断部４５２の判断と開閉検知部４５１の検知結果に基づく所定のタイミングで、第２待受画面を表示部２１に表示させるよりも優先して、第３画像を待受画面（第３待受画面）として表示部２１に表示させる。
【００３９】
ここで、所定のタイミングとは、第１待受画面を表示部２１に表示する状態（操作部側筐体部２と表示部側筐体部３とが開放状態にある場合）から、操作部側筐体部２と表示部側筐体部３とが折畳み状態になったことを開閉検知部４５１によって検知されたことに基づいて、待受画面切替判断部４５２によって第１待受画面を切り替えると判断されるタイミング、若しくは、開閉検知部４５１によって操作部側筐体部２と表示部側筐体部３とが再度開放状態になったことが検知された場合のことである。
【００４０】
したがって、携帯電話機１は、所定のタイミングで、新たにメモリ４４に記憶した画像を待受画面として表示させることができる。すなわち、携帯電話機１は、新たな画像がメモリ４４に記憶された場合には、メモリ４４に既に記憶されている画像を待受画面とするよりも優先させて、その新たな画像を待受画面として表示部２１に表示させることができる。
【００４１】
また、制御部４５は、前述した第３画像が複数ある場合には、所定の切替タイミング毎に、メモリ４４に記憶される順番が新しい第３画像から順に第３待受画面として表示部２１に表示させることが好ましい。
【００４２】
すなわち、表示制御部４５３は、メモリ４４に新たに記憶される画像が複数ある場合には、待受画面切替判断部４５２の判断と開閉検知部４５１の検知結果に基づく所定のタイミング毎に、新たな画像を順番に待受画面として表示部２１に表示する。一例として、新たな画像（第３画像）としての第３画像Ａ、第３画像Ｂ、第３画像Ｃ及び第３画像Ｄがこの順番にメモリ４４に記憶された場合には、表示制御部４５３は、所定のタイミング毎に、メモリ４４に記憶された順番が新しい画像から順に（第３画像Ｄ、第３画像Ｃ、第３画像Ｂ及び第３画像Ａの順に）第３待受画面として表示部２１に表示させる。すなわち、表示制御部４５３は、第３画像Ｄに対応する第３待受画面Ｄ、第３画像Ｃに対応する第３待受画面Ｃ、第３画像Ｂに対応する第３待受画面Ｂ、及び、第３画像Ａに対応する第３待受画面Ａの順番で、所定のタイミング毎に切り替えて表示部２１に表示させる。
【００４３】
したがって、携帯電話機１は、複数の画像が新たにメモリ４４に記憶された場合には、メモリ４４に既に記憶されている画像を待受画面とするよりも優先させて、その新たな画像の全てを順に待受画面として表示部２１に表示させることができる。
【００４４】
制御部４５は、複数の第３画像のうちの１つの画像である第４画像を待受画面に対応する第４待受画面として表示部２１に表示してから、その第４画像の直前にメモリ４４に記憶された画像である第５画像を待受画面に対応する第５待受画面として表示部２１に表示させるまでの間に、メモリ４４に新たな画像として第６画像が記憶された場合には、所定の切替タイミングで、第４待受画面の次に、第６画像を待受画面に対応する第６待受画面として切り替えて表示部２１に表示させることが好ましい。
【００４５】
すなわち、表示制御部４５３は、複数の第３画像のうちの１つの画像（第４画像）が待受画面（第４待受画面）として表示部２１に表示されているに状態において、メモリ４４に新たに画像（第６画像）が記憶された場合には、待受画面切替判断部４５２の判断と開閉検知部４５１の検知結果に基づく所定のタイミングで、第４待受画面を第６待受画面に切り替えて表示部２１に表示させる。
【００４６】
ここで、所定のタイミングとは、第４待受画面を表示部２１に表示する状態（操作部側筐体部２と表示部側筐体部３とが開放状態にある場合）から、操作部側筐体部２と表示部側筐体部３とが折畳み状態になったことを開閉検知部４５１によって検知されたことに基づいて、待受画面切替判断部４５２によって第４待受画面を切り替えると判断されるタイミング、又は、開閉検知部４５１によって操作部側筐体部２と表示部側筐体部３とが再度開放状態になったことが検知された場合のことである。
【００４７】
したがって、携帯電話機１は、新たな画像がメモリ４４に記憶された場合には、メモリ４４に既に記憶されている画像を待受画面とするよりも優先させて、その新たな画像を待受画面として表示部２１に表示させることができる。
【００４８】
次に、新たな画像が記憶されるメモリ４４について説明する。図５は、新たな画像としての第３画像、及び、第３画像のメモリアドレスが記憶されるメモリアドレス記憶領域４４１について説明するための図である。図６は、表示部２１に表示される待受画面の順番を説明するための第２の図である。図７は、新たな画像としての第６画像、及び、第６画像のメモリアドレスが記憶されるメモリアドレス記憶領域４４１について説明するための図である。図８は、表示部２１に表示される待受画面の順番を説明するための第３の図である。図９は、新たな画像としての第７画像、及び、第７画像のメモリアドレスが記憶されるメモリアドレス記憶領域４４１について説明するための図である。図１０は、表示部２１に表示される待受画面の順番を説明するための第４の図である。
【００４９】
メモリ４４は、図３に示すように、メモリアドレス記憶領域４４１（アドレス記憶領域）を備えることが好ましい。メモリアドレス記憶領域４４１は、メモリ４４に記憶された新たな画像のメモリアドレス（アドレス）を所定の数だけ記憶する。ここで、メモリアドレスは、メモリ４４に記憶される画像のメモリ４４上の位置を示す。また、メモリアドレス記憶領域４４１は、例えば、５〜１０個のメモリアドレスを記憶する。なお、図５（Ｂ）、図７（Ｂ）及び図９（Ｂ）に示す場合では、メモリアドレス記憶領域４４１は、５個のメモリアドレスを記憶する。
【００５０】
また、例えば、図５（Ａ）に示すように、第３画像Ａ、第３画像Ｂ、第３画像Ｃ及び第３画像Ｄがこの順番でメモリ４４に順次記憶された場合、メモリアドレス記憶領域４４１には、図５（Ｂ）に示すように、第３画像Ａのメモリアドレス、第３画像Ｂのメモリアドレス、第３画像Ｃのメモリアドレス及び第３画像Ｄのメモリアドレスがこの順番で記憶される。
【００５１】
また、制御部４５は、メモリアドレス記憶領域４４１に記憶されるメモリアドレスに対応する新たな画像を第２画像に対応する第２待受画面よりも優先させて待受画面とする。
すなわち、第１待受画面が表示部２１に表示されてから第２待受画面が表示部２１に表示されるまでの間に、メモリ４４に新たな画像として第３画像が記憶された場合には、所定の切替タイミングで、第１待受画面の次に、第３画像を第３待受画面として切り替えて表示部２１に表示させる。
【００５２】
例えば、画像α、画像β、画像γ、画像δ、画像εがメモリ４４に記憶されている場合には、表示制御部４５３は、所定のタイミング毎に、任意の順番で、画像α〜εを待受画面α〜εとする。すなわち、図６に示すように、表示制御部４５３は、所定のタイミング毎に、待受画面γ、待受画面ε及び待受画面βの順番で、表示部２１に表示される待受画面を切り替える。ここで、所定のタイミングで待受画面β（第１待受画面（１））から待受画面δ（第２待受画面（２））に切り替えられる前に、第３画像Ａ〜Ｄがメモリ４４に記憶されたときには、メモリアドレス記憶領域４４１には、第３画像Ａ〜Ｄそれぞれのメモリアドレスが記憶される。
【００５３】
この場合、待受画面β（第１待受画面（１））が表示部２１に表示された後に発生した所定のタイミングで、表示制御部４５３は、メモリアドレス記憶領域４４１に記憶される第３画像Ａ〜Ｄそれぞれのメモリアドレスのうち、メモリアドレス記憶領域４４１に記憶された順番が最も新しいメモリアドレス（ここでは、第３画像Ｄのメモリアドレス）を読み出す。さらに、表示制御部４５３は、読み出した第３画像Ｄのメモリアドレスに基づいてメモリ４４から第３画像Ｄを読み出し、第３画像Ｄを第３待受画面Ｄ（３）として表示部２１に表示させる。さらにまた、メモリアドレス記憶領域４４１は、表示制御部４５３による制御に基づいて、表示を終えた画像である第３画像Ｄのメモリアドレスを消去する。
【００５４】
また、表示制御部４５３は、所定のタイミング毎に、メモリアドレス記憶領域４４１に記憶された順番が新しいメモリアドレスから順に読み出し、さらに、そのメモリアドレスに対応する画像をメモリ４４から読み出して、その画像を待ち受け画面として表示部２１に表示させる。さらに、表示制御部４５３は、表示を終えた画像から順に、当該画像のメモリアドレスをメモリアドレス記憶領域４４１から消去する。すなわち、表示制御部４５３は、所定のタイミング毎に、図６に示すように、第３画像Ａ〜Ｄを第３待受画面Ａ〜Ｄとして表示部２１に順次表示させる。
【００５５】
そして、表示制御部４５３は、メモリアドレス記憶領域４４１に記憶されるメモリアドレスが全て消去された場合には、第３画像Ａ〜Ｄがメモリ４４に新たに記憶される前から記憶されていた画像のうち、待受画面として設定されていない画像（残りの画像）を再生順番リストに基づいて選択して、選択された残りの画像を所定のタイミング毎に待受画面として順次設定する。すなわち、例えば、図６を用いて説明すると、第３画像Ａを第３待受画面Ａ（３）とした後に発生する所定のタイミングで、画像δを待受画面δ（第２待受画面（２））とする。
【００５６】
また、メモリアドレス記憶領域４４１は、所定の数を超えてメモリアドレスが記憶される場合に、メモリ４４に既に記憶された新たな画像のうちメモリ４４に記憶された順番が古い画像から順に、当該順番が古い画像に対応するアドレスを削除する。
【００５７】
例えば、図５及び図６の例示の場合に当てはめると、第３画像Ｃ（第４画像）が第３待受画面Ｃ（第４待受画面（４））として表示部２１に表示されている状態において、図７（Ａ）に示す新たな画像（第６画像Ｅ、第６画像Ｆ、第６画像Ｇ及び第６画像Ｈ）がメモリ４４に記憶された場合には、メモリアドレス記憶領域４４１には、第６画像Ｅ〜Ｈそれぞれのメモリアドレスが記憶される。つまり、メモリアドレス記憶領域４４１に、第３画像Ｂのメモリアドレスと、第３画像Ａのメモリアドレスとが記憶されている状態で、さらに第６画像Ｅ〜Ｈそれぞれのメモリアドレスが記憶されることになる。メモリアドレス記憶領域４４１が記憶することが可能なメモリアドレスの個数（所定の数）は、図７（Ｂ）に示す場合では５個である。このため、メモリアドレス記憶領域４４１は、第６画像Ｅ〜Ｈそれぞれのメモリアドレスを記憶するために、メモリ４４に記憶される順番が最も新しい第６画像Ｈのメモリアドレスを記憶するまで、記憶された順番が最も古いメモリアドレスから順に削除する。すなわち、メモリアドレス記憶領域４４１は、第３画像Ａのメモリアドレスを削除すると共に、第６画像Ｅ〜Ｈそれぞれのメモリアドレスを記憶する。これにより、メモリアドレス記憶領域４４１には、図７（Ｂ）に示すように、第３画像Ｂのメモリアドレス、第６画像Ｅ〜Ｈそれぞれのメモリアドレスが記憶される。
【００５８】
そして、表示制御部４５３は、第３待受画面Ｃ（第４待受画面（４））が表示部２１に表示された後に発生した所定のタイミングで、メモリアドレス記憶領域４４１に記憶される第６画像Ｅ〜Ｈ及び第３画像Ｂ（第５画像）それぞれのメモリアドレスのうち、メモリアドレス記憶領域４４１に記憶された順番が最も新しいメモリアドレス（ここでは、第６画像Ｈのメモリアドレス）を読み出す。さらに、表示制御部４５３は、読み出した第６画像Ｈのメモリアドレスに基づいてメモリ４４から第６画像Ｈを読み出し、第６画像Ｈを第６待受画面Ｈ（６）として表示部２１に表示させる。さらにまた、メモリアドレス記憶領域４４１は、表示制御部４５３による制御に基づいて、第６画像Ｄのメモリアドレスを消去する。
【００５９】
また、表示制御部４５３は、所定のタイミング毎に、メモリアドレス記憶領域４４１に記憶された順番が新しいメモリアドレスから順に読み出し、さらに、そのメモリアドレスに対応する画像をメモリ４４から読み出して、その画像を待ち受け画面として表示部２１に表示させる。すなわち、表示制御部４５３は、所定のタイミング毎に、図８に示すように、第６画像Ｅ〜Ｈ及び第３画像Ｂ（第５画像）をそれぞれ第６待受画面Ｅ〜Ｈ（６）及び第３待受画面Ｂ（第５待受画面（５））として表示部２１に順次表示させる。
【００６０】
そして、表示制御部４５３は、メモリアドレス記憶領域４４１に記憶されるメモリアドレスが全て消去された場合には、第３画像Ａ〜Ｄ及び第６画像Ｅ〜Ｈがメモリ４４に新たに記憶される前から記憶されていた画像のうち、待受画面として設定されていない画像（残りの画像）を再生順番リストに基づいて選択して、選択された残りの画像を所定のタイミング毎に待受画面として順次設定する。すなわち、第３画像Ｂ（第５画像）を第３待受画面Ｂ（第５待受画面（５））とした後に発生する所定のタイミングで、画像δを待受画面δ（第２待受画面（２））とする。
【００６１】
また、例えば、図７及び図８に例示する場合において、第６画像Ｈが第６待受画面Ｈとして表示部２１に表示されている状態で、図９（Ａ）に示す新たな画像（第７画像Ｉ、第７画像Ｊ、第７画像Ｋ、第７画像Ｌ、第７画像Ｍ及び第７画像Ｎ）がメモリ４４に記憶されたときには、メモリアドレス記憶領域４４１は、第７画像Ｉ〜Ｎそれぞれのメモリアドレスを記憶するための処理を行う。
【００６２】
すなわち、メモリアドレス記憶領域４４１は、第７画像Ｉ〜Ｎそれぞれのメモリアドレスを記憶するために、既に記憶されている第６画像Ｇ〜Ｅ及び第３画像Ｂ（第５画像）それぞれのメモリアドレスを削除する。さらに、メモリアドレス記憶領域４４１は、第７画像Ｉ、第７画像Ｊ、第７画像Ｋ、第７画像Ｌ、第７画像Ｍ及び第７画像Ｎの各メモリアドレスをその順に記憶していき、第７画像Ｎのメモリアドレスを記憶するために、第７画像Ｉのメモリアドレスを削除する。これにより、メモリアドレス記憶領域４４１には、図９（Ｂ）に示すように、第７画像Ｊ〜Ｎそれぞれのメモリアドレスが記憶される。
【００６３】
そして、表示制御部４５３は、第６待受画面Ｈ（６）が表示部２１に表示された後に発生した所定のタイミングで、メモリアドレス記憶領域４４１に記憶される第７画像Ｊ〜Ｎそれぞれのメモリアドレスのうち、メモリアドレス記憶領域４４１に記憶された順番が最も新しいメモリアドレス（ここでは、第７画像Ｎのメモリアドレス）を読み出す。さらに、表示制御部４５３は、読み出した第７画像Ｎのメモリアドレスに基づいてメモリ４４から第７画像Ｎを読み出し、第７画像Ｎを第７待受画面Ｎ（７）として表示部２１に表示させる。さらにまた、メモリアドレス記憶領域４４１は、表示制御部４５３による制御に基づいて、表示を終えた画像である第７画像Ｎのメモリアドレスを消去する。
【００６４】
また、表示制御部４５３は、所定のタイミング毎に、メモリアドレス記憶領域４４１に記憶された順番が新しいメモリアドレスから順に読み出し、さらに、そのメモリアドレスに対応する画像をメモリ４４から読み出して、その画像を待ち受け画面として表示部２１に表示させる。さらに、図７を用いて説明したときと同じように、表示制御部４５３は、表示し終えた画像から順に、当該画像のメモリアドレスをメモリアドレス記憶領域４４１から消去する。すなわち、表示制御部４５３は、所定のタイミング毎に、図１０に示すように、第７画像Ｊ〜Ｎをそれぞれ第７待受画面Ｊ〜Ｎとして表示部２１に順次表示させる。
【００６５】
そして、表示制御部４５３は、メモリアドレス記憶領域４４１に記憶されるメモリアドレスが全て消去された場合には、第３画像Ａ〜Ｄ、第６画像Ｅ〜Ｈ及び第７画像Ｉ〜Ｎがメモリ４４に新たに記憶される前から記憶されていた画像のうち、待受画面として設定されていない画像（残りの画像）を再生順番リストに基づいて選択して、選択された残りの画像を所定のタイミング毎に待受画面として順次設定する。すなわち、第７画像Ｊを第７待受画面Ｊとした後に発生する所定のタイミングで、画像δを待受画面δ（第２待受画面（２））とする。
【００６６】
したがって、携帯電話機１は、新たな画像がメモリ４４に記憶された場合には、メモリ４４に既に記憶されている画像を待受画面とするよりも優先させて、その新たな画像を待受画面として表示部２１に表示させることができる。
また、携帯電話機１は、メモリ４４に既に記憶されている画像α〜εを待受画面とする再生順番リストをメモリ４４に備えると共に、割り込み待受画面用の再生順番リストを記憶するメモリアドレス記憶領域４４１を備えるので、再生順番リストを初めから作り直す必要がない。
【００６７】
なお、所定のタイミングは、上述したものに限定されることはない。例えば、所定のタイミングは、画像が添付されたメールを通信部４６によって受信して、添付された画像が開かれることなくメールアプリケーションを終了した場合であってもよい。また、所定のタイミングは、画像が添付されたメールを通信部４６によって受信して、その画像が添付されたメールが閲覧されることなくメールアプリケーションを終了した場合であってもよい。
【００６８】
また、制御部４５は、カメラ３３によって撮像された画像をメモリ４４に記憶し、さらにはメモリアドレス記憶領域４４１に当該画像のアドレスを記憶するようにしてもよい。
具体的には、制御部４５は、メモリ４４に、カメラ３３によって画像が撮像されたとき、当該画像を前述した第３画像又は第６画像としてメモリ４４に記憶するようにしてもよい。このようにして、ユーザは、撮像した画像を好適に待受画面で確認することができるようになる。
【００６９】
さらに、制御部４５は、ＲＦ回路部４１が受信したメールに添付された画像（添付画像）をメモリ４４に記憶し、さらにはメモリアドレス記憶領域４４１に当該添付画像のアドレスを記憶するようにしてもよい。
具体的には、ＲＦ回路部４１が添付画像を受信した場合、当該画像を前述した第３画像又は第６画像としてメモリ４４に記憶するようにしてもよい。
また、さらに具体的には、制御部４５は、添付画像が付されたメールをＲＦ回路部４１が受信してから所定のタイミングまでの間に当該添付画像の閲覧操作が操作部１１に対して行われなかったときには、添付画像を第３画像又は第６画像としてメモリ４４に記憶させたり、添付画像が付されたメールをＲＦ回路部４１が受信してから所定期間までの間に当該添付画像の閲覧操作が操作部１１に対して行われなかったときには、添付画像を第３画像又は第６画像としてメモリ４４に記憶させたりしてもよい。
このようにすることで、ユーザが閲覧操作をし損なった添付画像も、好適なタイミングでユーザに対して呈示することが可能となる。
なお、画像を受信するデバイスは、ＲＦ回路部４１に限られず、例えば赤外線受信デバイスやＲＦＩＤ（Ｒａｄｉｏ  Ｆｒｅｑｕｅｎｃｙ  ＩＤｅｎｔｉｆｉｃａｔｉｏｎ）機能を用いた非接触通信デバイスであってもよい。
【００７０】
また、上述した実施形態では、本発明が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）やポータブルゲーム機やポータブルナビゲーションデバイスやパーソナルコンピュータ等の電子機器にも適用することができる。
【符号の説明】
【００７１】
１  携帯電話機（電子機器）
２１  表示部
４４  メモリ（記憶部）
４５  制御部
４４１  メモリアドレス記憶領域（アドレス記憶領域）
【図１】
2012155136.tif 000003
【図２】
2012155136.tif 000004
【図３】
2012155136.tif 000005
【図４】
2012155136.tif 000006
【図５】
2012155136.tif 000007
【図６】
2012155136.tif 000008
【図７】
2012155136.tif 000009
【図８】
2012155136.tif 000010
【図９】
2012155136.tif 000011
【図１０】
2012155136.tif 000012